(57)【要約】【課題】１台の親機に対する無線子機の接続可能台数の増加が求められてくると、従来のＩＤ登録方法では登録すべき無線子機の台数が多く、また作業に多くの時間や手間を費やすことになる。【解決手段】無線親機１００は初期設定要求電文５０１を受信すると、親機識別番号（ＩＤ）を設定した初期設定要求応答電文５０２を無線２００子機に送信し、お互いを登録する。また、無線子機２００は初期設定要求電文６０１を受信すると、子機識別番号（ＩＤ）を設定した初期設定要求応答電文６０２を無線孫機３００に送信し、お互いを登録するので、孫機識別番号格納手段２０３には無線孫機３００のＩＤが、子機識別番号格納手段３０２には無線子機２００のＩＤが格納される。【選択図】図１
2008124603.tif 000002
【特許請求の範囲】
【請求項１】
無線親機と、前記無線親機と通信を行う無線子機と、前記無線子機と通信を行う無線孫機とから構成される無線装置システムにおいて、前記無線親機との初期設定を開始する親子間初期設定手段と、前記無線孫機との初期設定を開始する子孫間初期設定手段とを前記無線子機に備え、前記無線子機は、前記親子間初期設定手段を介して前記無線親機との初期設定が開始されると前記無線子機に予め設定された識別番号（ＩＤ）を前記無線親機に送信し、前記子孫間初期設定手段を介して前記無線孫機との初期設定が開始されると前記無線子機は前記無線孫機に予め設定された識別番号（ＩＤ）を前記無線孫機から受信することを特徴とする無線装置システム。
【請求項２】
無線親機と、前記無線親機と通信を行う無線子機と、前記無線子機と通信を行う無線孫機とから構成される無線装置システムにおいて、前記無線親機との初期設定を開始する親子間初期設定手段と、前記無線孫機との初期設定を開始する子孫間初期設定手段とを前記無線子機に備え、前記無線子機は、前記親子間初期設定手段を介して前記無線親機との初期設定が開始されると前記無線親機に予め設定された識別番号（ＩＤ）を前記無線親機から受信し、前記子孫間初期設定手段を介して前記無線孫機との初期設定が開始されると前記親機から受信した識別番号（ＩＤ）を前記無線孫機に送信することを特徴とする無線装置システム。
【請求項３】
無線親機と、前記無線親機と通信を行う無線子機と、前記無線子機と通信を行う無線孫機とから構成される無線装置システムにおいて、前記無線親機との初期設定を開始する親子間初期設定手段と、前記無線孫機との初期設定を開始する子孫間初期設定手段とを前記無線子機に備え、前記無線子機は親子間初期設定手段を介して前記無線親機との初期設定が開始されると前記無線親機に予め設定された通信条件を前記無線親機から受信し、子孫間初期設定手段を介して無線孫機との初期設定が開始されると無線子機は無線親機から受信した通信条件を無線孫機に送信することを特徴とする無線装置システム。
【請求項４】
無線親機と、前記無線親機と通信を行う無線子機と、前記無線子機と通信を行う無線孫機とから構成される無線装置システムにおいて、前記無線親機は前記無線子機との初期設定が終了すると再度無線子機との初期設定手段を起動する親子間初期設定手段を備え、前記無線子機は前記無線孫機との初期設定が終了すると再度無線孫機との初期設定手段を起動する子孫間初期設定手段を備えたことを特徴とする無線装置システム。
【請求項５】
親子間初期設定手段と子孫間初期設定手段の起動手段として押ボタンを設け、前記押ボタンが所定期間より短く押されたとき、無線子機は前記無線子機に予め設定された識別番号（ＩＤ）を前記無線親機に送信し、前記押ボタンが前記所定期間より長く押されたとき、前記無線子機は無線孫機に予め設定された識別番号（ＩＤ）を前記無線孫機から受信する請求項１から４のいずれか１項に記載の無線装置システム。
【発明の詳細な説明】
【技術分野】
【０００１】
本発明は無線装置システムに関するものである。
【背景技術】
【０００２】
従来、この種の無線装置システムは無線親機と無線子機から構成されており、無線子機は通報要因が発生すると無線通信により無線親機に通報していた。また、このような無線親機と無線子機とから構成される無線装置システムでは、その設置時に、無線親機に内蔵されているメモリに無線子機を特定するための識別番号（ＩＤ）を登録する作業は必要であった。
【０００３】
この作業では、無線親機側のＩＤ登録時には、まず無線親機にある登録スイッチを操作して、登録モードとする。次に、登録モードとなると親機の書込み制御手段は、受光部を駆動する。そして、受光部が無線子機の動作表示灯の発行を受信すると、書込み制御手段はメモリに無線子機のＩＤを格納し、ＩＤ登録を終了する（例えば、特許文献１参照）。
【特許文献１】特開平７−００６２８３号公報
【発明の開示】
【発明が解決しようとする課題】
【０００４】
ところで、上記のような無線親機と無線子機から構成される無線装置システムでは、無線親機と無線子機とが無線通信で情報の送受信ができることから、無線子機を設置する際に課せられる制約条件が少なくなり、適切な場所に自由に設置できるようになった。
【０００５】
それで、無線を利用したガス検針システムでは親機１台に無線子機を複数台設置して複数台のメータ検針を、公衆回線を利用して親機経由でセンターに検針情報を通報するといった無線通信が入った形態が増えてきた。
【０００６】
また近年の防犯・防災意識の高まりと共に、火災警報器や防犯機器などのシステム形態は、これまでは重点個所・警戒個所にのみ警報器を設置しておけば良いといった考えがあったが、様々な場所に無線機を設置し、各機器を無線連動することにより、厳重に防犯・防災を達成したいと考えるようになってきた。
【０００７】
このような動向に伴って、１台の親機に対する無線子機の接続可能台数の増加が求められてくると、従来のＩＤ登録方法では登録すべき無線子機の台数が多く、また作業に多くの時間や手間を費やさなければならなくなる。そしてシステム全体でも無線装置システムを構成する機器の台数が増加する傾向にあるため、設置時の作業性の向上や効率アップが望まれている。
【０００８】
本発明は、このような状況に鑑み、無線装置システムの機器の台数を増加しても、無線親機の登録の負担を増加させないような、また設置時の作業性の向上や効率を図る無線装置システムを提供する。
【課題を解決するための手段】
【０００９】
前記従来の課題を解決するために、本発明の無線装置システムは、親子間初期設定手段を介して無線親機との初期設定が開始されると無線子機に予め設定された識別番号（ＩＤ）を無線親機に送信し、子孫間初期設定手段を介して無線孫機との初期設定が開始されると無線子機は無線孫機に予め設定された識別番号（ＩＤ）を無線孫機から受信するものである。
【００１０】
これによれば、無線親機を全ての無線機との間で初期設定作業をする必要がなく、無線親機は無線子機のみを初期設定し、無線子機は無線孫機のみを初期設定することで、システム全体として無線装置システムを構成する機器の台数を増加させることができる。
【発明の効果】
【００１１】
本発明の無線装置システムは、無線装置システムの構成する機器の台数を増加する際、無線親機と無線子機と無線孫機の組み合わせでシステム構成を行い、無線親機には無線子機のみを登録作業し、無線子機には無線孫機のみを登録作業することで、無線親機の登録に必要なメモリの負担を増加させないで、無線子機に分担させることができる。そのため無線子機と同じメモリ容量で無線親機を構成することができる。
【００１２】
また、無線親機は無線子機のみと、無線子機は無線孫機のみと登録作業すれば良く、無線親機は無線装置システムを構成する全ての無線機と通信できる到達距離に設置しなくても良いため、無線親機の設置場所の制限を受けにくくすることができる。
【発明を実施するための最良の形態】
【００１３】
第１の発明は、無線親機と、無線親機と通信を行う無線子機と、無線子機と通信を行う無線孫機とから構成される無線装置システムにおいて、無線親機との初期設定を開始する親子間初期設定手段と、無線孫機との初期設定を開始する子孫間初期設定手段とを無線子機に備え、無線子機は、親子間初期設定手段を介して無線親機との初期設定が開始されると無線子機に予め設定された識別番号（ＩＤ）を無線親機に送信し、子孫間初期設定手段を介して無線孫機との初期設定が開始されると無線子機は無線孫機に予め設定された識別番号（ＩＤ）を無線孫機から受信するものである。
【００１４】
これによれば、無線装置システムを構成する機器の台数を増加する際、無線親機と無線子機と無線孫機の組み合わせでシステム構成を行い、無線親機には無線子機のみと初期設定し、無線子機には無線孫機のみと初期設定することで、無線親機の登録に必要なメモリの負担を増加させないで、無線子機に分担させることができる。そのため無線子機と同じメモリ容量で無線親機を構成することができる。
【００１５】
また、無線親機は無線子機のみと、無線子機は無線孫機のみと通信すれば良く、無線親機は無線装置システムを構成する全ての無線機と通信できる到達距離に設置しなくても良いため、無線親機の設置場所の制限を受けにくくなる。
【００１６】
第２の発明は、特に、無線親機と、無線親機と通信を行う無線子機と、無線子機と通信を行う無線孫機とから構成される無線装置システムにおいて、無線親機との初期設定を開始する親子間初期設定手段と、無線孫機との初期設定を開始する子孫間初期設定手段とを無線子機に備え、無線子機は、親子間初期設定手段を介して無線親機との初期設定が開始されると無線親機に予め設定された識別番号（ＩＤ）を無線親機から受信し、子孫間初期設定手段を介して無線孫機との初期設定が開始されると親機から受信した識別番号（ＩＤ）を無線孫機に送信するものである。
【００１７】
これによれば、全ての無線子機と無線孫機に無線親機の識別番号（ＩＤ）を伝送することができるので、無線親機の識別番号（ＩＤ）を無線システム全体で共通のＩＤとすることができ、このＩＤを無線通信に使うことにより、無線親機、無線子機、無線孫機で構成される無線システム全体に一斉同報通信することが可能となり、通報するまでの時間や通信時間を短くでき、効率の良い通信が可能となる。
【００１８】
第３の発明は、特に、無線親機と、無線親機と通信を行う無線子機と、無線子機と通信
を行う無線孫機とから構成される無線装置システムにおいて、無線親機との初期設定を開始する親子間初期設定手段と、無線孫機との初期設定を開始する子孫間初期設定手段とを無線子機に備え、無線子機は親子間初期設定手段を介して無線親機との初期設定が開始されると無線親機に予め設定された通信条件を無線親機から受信し、子孫間初期設定手段を介して無線孫機との初期設定が開始されると無線子機は無線親機から受信した通信条件を無線孫機に送信するものである。
【００１９】
これによれば、親子間の通信条件と子孫間の通信条件を同じにすることができるので、使用するチャンネルや送受信時間などの通信条件を無線親機、無線子機、無線孫機で構成される無線システム全体で共通にすることができるので、無線親機の通信条件さえ他の無線シテムと干渉しないように設定しておけば、無線子機や無線孫機も他の無線シテムと干渉しないようにすることができる。
【００２０】
第４の発明は、特に、無線親機と、無線親機と通信を行う無線子機と、無線子機と通信を行う無線孫機とから構成される無線装置システムにおいて、無線親機は無線子機との初期設定が終了すると再度無線子機との初期設定手段を起動する親子間初期設定手段を備え、無線子機は無線孫機との初期設定が終了すると再度無線孫機との初期設定手段を起動する子孫間初期設定手段を備えたものである。
【００２１】
これによれば、無線親機に一度無線子機との初期設定の起動を行うと、無線親機への２回目の起動はなくても無線親機は連続して子機との初期設定をすることができ、無線子機も一度無線孫機との初期設定の起動を行うと、無線子機への２回目の起動はなくても無線子機は連続して無線孫機との初期設定をすることができ、無線システム全体の初期設定が終了するまでの時間や通信時間を短くでき、効率の良い初期設定が可能となる。
【００２２】
第５の発明は、特に、第１から第４の発明において、親子間初期設定手段と子孫間初期設定手段の起動手段として押ボタンを設け、押ボタンが所定期間より短く押されたとき、無線子機は無線子機に予め設定された識別番号（ＩＤ）を無線親機に送信し、押ボタンが前記所定期間より長く押されたとき、無線子機は無線孫機に予め設定された識別番号（ＩＤ）を無線孫機から受信するものである。
【００２３】
これによれば、無線子機は押ボタンが所定期間より短く押されたときは、無線送信から始め、押ボタンが所定期間より長く押されたときは、受信から始めるように通信手順を変えることにより、一つの押しボタンで無線親機と無線孫機の両方と初期設定ができる。
【００２４】
以下、本発明の実施の形態について、図面を参照しながら説明する。なお、本実施の形態によって本発明が限定されるものではない。
【００２５】
（実施の形態１）
図１は、本発明の第１の実施の形態における無線親機１００、無線子機２００、無線孫機３００から構成される無線装置システム構成図を示すものである。なお、この図には記載してないが、各々の無線親機１００、無線子機２００、無線孫機３００には、無線連動させる機器が接続されている。
【００２６】
図２は無線親機１００の内部構成を示すもので、親機識別番号格納手段１０１、子機識別番号格納手段１０２、無線送受信手段１０３、親子間初期設定手段１０４、通信条件格納手段１０５、アンテナ１０６から構成されている。
【００２７】
無線通信においては、無線送受信手段１０３で無線の信号を変調、復調し、アンテナ１０６を通じて送受信が行われる。
【００２８】
また、親子間初期設定手段１０４では、初期設定起動を受け付けると無線子機２００を登録するための通信制御を行う。そして、親機識別番号格納手段１０１には無線親機１００自身のＩＤが格納され、子機識別番号格納手段１０２には登録された無線子機２００のＩＤが格納されており、通信条件格納手段１０５には無線通信を行うチャンネルや送信時間、受信間隔などの通信に関係する設定値が格納されている。
【００２９】
図３は無線子機２００の内部構成を示すもので、親機識別番号格納手段２０１、子機識別番号格納手段２０２、孫機識別番号格納手段２０３、通信条件格納手段２０４、無線送受信手段２０５、親子間初期設定手段２０６、子孫間初期設定手段２０７、アンテナ２０８から構成されている。
【００３０】
無線通信においては、無線送受信手段２０５で無線の信号を変調、復調し、アンテナ２０８を通じて送受信が行われる。
【００３１】
また、親子間初期設定手段２０６では、初期設定起動を受け付けると無線親機１００を登録するための通信制御を行い、子孫間初期設定手段２０７では初期設定起動を受け付けると、無線孫機３００を登録するための通信制御を行う。そして、親機識別番号格納手段２０１には登録された無線親機１００のＩＤが、子機識別番号格納手段２０２には無線子機２００自身のＩＤが、孫機識別番号格納手段２０３には登録された無線孫機３００のＩＤが、さらに通信条件格納手段２０４には無線通信を行うチャンネルや、送信時間、受信間隔などの通信に関係する設定値が格納されている。
【００３２】
図４は無線孫機３００の内部構成を示すもので、親機識別番号格納手段３０１、子機識別番号格納手段３０２、孫機識別番号格納手段３０３、通信条件格納手段３０４、無線送受信手段３０５、子孫間初期設定手段３０６、アンテナ３０７から構成されている。
【００３３】
無線親機１００や無線子機２００との無線通信においては、無線送受信手段３０５で無線の信号を変調、復調し、アンテナ３０７を通じて送受信が行われる。
【００３４】
また、子孫間初期設定手段３０６は初期設定起動を受け付けると、無線子機２００を登録するための通信制御を行う。そして、親機識別番号格納手段３０１には登録された無線１００親機のＩＤが、子機識別番号格納手段３０２には登録された無線２００子機のＩＤが、孫機識別番号格納手段３０３には無線孫機３００自身のＩＤが、さらに通信条件格納手段３０４には無線通信を行うチャンネルや、送信時間、受信間隔などの通信に関係する設定値を格納されている。
【００３５】
以上のように構成された無線親機１００、無線子機２００、無線孫機３００について、以下その動作、作用を説明する。
【００３６】
図５は無線親機１００と無線子機２００との間の初期登録の無線通信シーケンス図である。無線親機１００と無線子機２００は初期設定起動を受け付けると、無線親機１００は受信待ちになり、無線子機２００は子機識別番号ＩＤを設定した初期設定要求電文５０１を無線親機１００に送信する。無線親機１００は初期設定要求電文５０１を受信すると、親機識別番号ＩＤを設定した初期設定要求応答電文５０２を無線２００子機に送信することで、お互いを登録する。
【００３７】
上記通信が終了した時点では、無線親機１００の子機識別番号格納手段１０２には登録された無線子機２００のＩＤが格納されている。また、無線子機２００の親機識別番号格納手段２０１には、登録された無線親機１００のＩＤが格納されている。
【００３８】
また、図６は子孫機間の初期登録の無線通信シーケンス図である。無線子機２００と無線孫器３００は初期設定起動を受け付けると、無線子機２００は受信待ちになり、無線孫機３００は孫機識別番号ＩＤを設定した初期設定要求電文６０１を無線子機２００に送信する。無線子機２００は初期設定要求電文６０１を受信すると、子機識別番号ＩＤを設定した初期設定要求応答電文６０２を無線孫機３００に送信することで、お互いを登録する。通信が終了した時点では、無線子機２００の孫機識別番号格納手段２０３には、登録された無線孫機３００のＩＤが格納されている。無線孫機３００の子機識別番号格納手段３０２には、登録された無線子機２００のＩＤが格納されている。
【００３９】
以上のように、本実施の形態においては、無線装置システムを構成する機器の台数を増加する際、無線親機と無線子機と無線孫機の組み合わせ全体でシステムの構成を行い、無線親機には無線子機のみと初期設定し、無線子機には無線孫機のみと初期設定することで、無線親機の登録に必要なメモリの負担を増加させないで、無線子機に分担させることができ、無線子機と同じメモリ容量で無線親機を構成することができる。
【００４０】
また、無線孫機は無線子機と通信して無線孫機の情報を受信すると、無線子機は無線孫機から受信した情報を無線親機へ送信することで、無線孫機は無線子機のみと、無線親機は無線子機のみと通信できれば、無線孫機の情報は無線親機に届けることができる。逆に無線親機の情報も無線孫機に届けることができる。従って、無線装置システムを構成する全ての無線機同士が通信できる到達距離に設置しなくても良く、各無線機の設置場所の制限を少なくすることができる。
【００４１】
（実施の形態２）
図７は、本発明の第２の実施の形態の無線装置の親子孫機間の初期登録無線通信シーケンス図である。なお、第１の実施の形態で述べた通信シーケンスとともに、本実施の形態を適用することもできる。
【００４２】
図７で、無線親機１００と無線子機２００は親子間初期設定起動を受け付けると、無線親機１００は無線の受信待ちになり、無線子機２００は初期設定要求電文７０１を無線親機１００に送信する。無線親機１００は初期設定要求電文７０１を受信すると、親機識別番号ＩＤの情報が入った初期設定要求応答電文７０２を無線子機２００に送信する。
【００４３】
次に、無線子機２００と無線孫機３００は子孫間初期設定起動を受け付けると、無線子機２００は受信待ちになり、無線孫機３００は初期設定要求電文７０３を無線子機２００に送信する。無線子機２００は初期設定要求電文７０３を受信すると、親機識別番号ＩＤの情報が入った初期設定要求応答電文７０４を無線孫機３００に送信する。
【００４４】
通信が終了した時点では、無線親機１００の子機識別番号格納手段１０２には、登録された無線子機２００のＩＤが格納されている。無線子機２００の親機識別番号格納手段２０１には、登録された無線親機１００のＩＤが格納されている。無線子機２００の孫機識別番号格納手段２０３には、登録された無線孫機３００のＩＤが格納されている。
【００４５】
また、無線孫機３００の子機識別番号格納手段３０２には、登録された無線子機２００のＩＤが格納されている。また、無線孫機３００の親機識別番号格納手段３０１には、無線子機２００に登録された無線親機１００のＩＤが格納されている。従って、無線親機１００と無線子機２００と無線孫機３００では、親機識別番号ＩＤを共通の情報として共有することができる。
【００４６】
以上のように、本実施の形態においては、全ての無線子機と無線孫機に無線親機の識別
番号（ＩＤ）を伝送することができるので、無線親機の識別番号（ＩＤ）を無線システム全体で共通のＩＤとすることができ、このＩＤを無線通信に使うことにより、そのＩＤと一致した無線機器は自己宛の通信が行われたことが判別できるので、無線親機、無線子機、無線孫機で構成される無線システム全体に一斉同報通信することが可能となり、通報するまでの時間や通信時間を短くでき、効率の良い通信が可能となる。
【００４７】
また無線親機の識別番号は、無線呼出し符号を利用した番号を出荷時に設定することで、ユニークな値とすることができる。そのため同じ仕様でつくられた無線装置で構成されたシステムが隣接する場合でも、ＩＤがたまたま一致してしまうこともないので、誤って他のシステムの一斉同報通信を受信することはなくなる。
【００４８】
（実施の形態３）
図８は、本発明の第３の実施の形態の無線装置の親子孫機間の初期登録無線通信シーケンス図です。なお、第１、第２の実施の形態で述べた通信シーケンスとともに、本実施の形態を適用することもできる。
【００４９】
図８で、無線親機１００と無線子機２００は親子間初期設定起動を受け付けると、無線親機１００は無線の受信待ちになり、無線子機２００は初期設定要求電文８０１を無線親機１００に送信する。無線親機１００は初期設定要求電文８０１を受信すると、通信条件の情報が入った初期設定要求応答電文８０２を無線子機２００に送信する。
【００５０】
無線子機２００と無線孫器３００は子孫間初期設定起動を受け付けると、無線子機２００は受信待ちになり、無線孫機３００は初期設定要求電文８０３を無線子機２００に送信する。無線子機２００は初期設定要求電文８０３を受信すると、通信条件の情報が入った初期設定要求応答電文８０４を無線孫機３００に送信する。
【００５１】
通信が終了した時点では、無線親機１００の子機識別番号格納手段１０２には、登録された無線子機２００のＩＤが格納されている。無線子機２００の親機識別番号格納手段２０１には、登録された無線親機１００のＩＤが格納されている。無線子機２００の通信条件格納手段２０４には、登録された無線親機１００の通信条件が格納されている。無線子機２００の孫機識別番号格納手段２０３には、登録された無線孫機３００のＩＤが格納されている。無線孫機３００の子機識別番号格納手段３０２には、登録された無線子機２００のＩＤが格納されている。無線孫機３００の通信条件格納手段３０４には、無線子機２００に登録された無線親機１００の通信条件が格納されている。従って、無線親機１００と無線２００子機と無線孫機３００では、通信条件を共通の情報として共有できる。
【００５２】
なお、共有する通信条件の情報とは、無線通信を行うチャンネルや、送信時間、受信間隔などの通信に関係する設定値であるが、この設定値を通信速度や通信フォーマットやオプション機能にすることにより、初期登録以降の通信では、通信速度を早くしたり、電文長の違った電文を使用したり、オプション機能で動作させたりすることも可能である。
【００５３】
以上のように、本実施の形態においては、親子間の通信条件と子孫間の通信条件を同じにすることができるので、使用するチャンネルや送受信時間などの通信条件を無線親機、無線子機、無線孫機で構成される無線システム全体で共通にすることができ、無線親機にのみ通信条件を設定しておくことで、システム構成内の全ての無線機の通信条件を同じにすることができる。
【００５４】
従って無線親機と無線子機と無線孫機で無線親機、無線子機、無線孫機で構成される無線システム全体に一斉同報通信することが可能となり、通報するまでの時間や通信時間を短くでき、効率の良い通信が可能となる。また無線親機の通信条件を他の無線シテムと干
渉しないように設定しておけば、無線子機や無線孫機も他の無線シテムと干渉しないようにすることができる。
【００５５】
（実施の形態４）
図９は、本発明の第４の実施の形態の無線装置の親子機間の連続初期登録無線通信シーケンス図です。なお、第１から第３の実施の形態で述べた通信シーケンスとともに、本実施の形態を適用することもできる。また、本実施の形態では、無線親機の親子間初期設定手段１０４は、初期設定要求応答電文を送信後も一定時間継続して別の無線子機からの初期設定要求電文の受信待ちとなるように無線送受信手段１０３を制御するようになっている。
【００５６】
図９において、無線親機１００と無線子機２００は親子間初期設定起動を受け付けると、無線親機１００は無線の受信待ちになり、無線子機２００は初期設定要求電文９０１を親機に送信する。無線親機１００は初期設定要求電文９０１を受信すると、初期設定要求応答電文９０２を無線子機２００に送信する。
【００５７】
その後、無線親機１００は無線の受信待ちを継続して、別の無線子機２３０は初期設定起動を受け付けると、無線子機２３０は初期設定要求電文９０３を無線親機１００に送信する。そして、無線親機１００は初期設定要求電文９０３を受信すると、初期設定要求応答電文９０４を無線子機２３０に送信する。
【００５８】
なお、図９では、無線親機１００と２台の無線子機２００、２３０との間の初期設定について述べたが、無線親機１００は初期設定要求応答電文を送信した後も、一定時間の初期設定要求電文待ち時間（例えば１５秒）設け、その一定時間内であれば無線親機１００の設定を特に行うことなく、さらに別の無線子機からの初期設定要求電文を受信することができる。このように、無線親機１００はまた受信待ちを継続するので、別の無線子機の初期設定起動を行うと、連続して初期登録が可能となる。
【００５９】
また、無線装置の子孫間の連続初期登録の無線通信シーケンスは図示しないが、図９と同様に連続して初期登録（縁組）が可能であり、無線子機２００の子孫間初期設定手段２０７は、初期設定要求応答電文を送信後も継続して別の無線孫機からの初期設定要求電文の受信待ちとなるように無線送受信手段２０５を制御するようになっている。
【００６０】
ここで、初期登録を実施した場合は、成功か失敗したかを報知するため、無線装置（無線親、子、孫機）にはＬＥＤなどの表示器が備わっており、その表示器による一定時間での点灯パターンで成功失敗を報知するようになっている。そこで、無線親機１００や無線子機２００は初期設定起動を受け付けた後、１回目の初期登録での初期設定要求電文待ち時間よりも、２回目以降の初期登録での初期設定要求電文待ち時間を成功失敗の報知時間分だけ長くすることで、１回目の初期登録成功の確認をしてから、次の初期登録の起動を行っても十分、間に合うようにすることができる。
【００６１】
以上のように、本実施の形態においては、無線親機に一度無線子機との初期設定の起動を行うと、無線親機への２回目の起動はなくても無線親機は連続して無線子機との初期設定をすることができる。また無線子機も一度無線孫機との初期設定の起動を行うと、無線子機への２回目の起動はなくても無線子機は連続して無線孫機との初期設定をすることができ、無線システム全体の初期設定が終了するまでの時間や通信時間を短くでき、効率の良い初期設定が可能となる。
【００６２】
（実施の形態５）
図１０は、本発明の第５の実施の形態の無線装置の無線子機２５０の内部構成図である
。図３と同一番号のものは同じ名称と同じ機能を有する構成要素であり、その説明を省略する。また、本実施の形態の無線子機２５０は、第１から第４の実施の形態に適用することができる。
【００６３】
押ボタン１００１で、親子間初期設定手段や子孫間初期設定手段を起動させる。具体的には、押ボタン１００１が所定期間より短く押されたとき、無線子機２５０は無線子機２５０に予め設定された識別番号（ＩＤ）を無線親機１００に送信し、押ボタン１００１が前記所定期間より長く押されたとき、無線子機２５０は無線孫機３００に予め設定された識別番号（ＩＤ）を無線孫機３００から受信して、孫機識別番号格納手段２０３に格納するようになっている。
【００６４】
以上のように、本実施の形態においては、親子間初期設定手段及び子孫間初期設定手段の起動手段として押ボタンを設け、押ボタンが所定期間より短く押されたとき、無線子機は無線子機に予め設定された識別番号（ＩＤ）を無線親機に送信し、押ボタンが前記所定期間より長く押されたとき、無線子機は無線孫機に予め設定された識別番号（ＩＤ）を無線孫機から受信するようにしたことにより、無線子機は押ボタンが所定期間より短く押されたときは、無線送信から始め、押ボタンが所定期間より長く押されたときは、受信から始めるように通信手順を変えることにより、一つの押しボタンで無線親機と無線孫機の両方と初期設定ができるので、コスト的にも小型化にも有利となる。
【００６５】
なお、押しボタンは、起動を与える機能を持ち、かつ起動時間の調整ができるものなら、例えば、リードスイッチでも良い。あるいは、無線装置に有線通信ができる機能をあらかじめ備えさせておき、有線通信機能を持った設定器を使用して、初期設定起動を切り替えることも可能である。
【００６６】
また、実施の形態５は実施の形態４を適用することは言うまでもない。すなわち、押ボタンが所定期間より短く押されたとき、無線親機は無線子機から送られた初期設定要求電文を受信して初期設定要求応答電文を無線子機へ送信するが、その初期設定要求応答電文の送信後所定時間（初期設定要求電文待ち時間）の間に、他の無線子機の押ボタンが所定期間より短く押されたときは、その無線子機からの初期設定要求電文を受信する。無線子機と無線孫機との初期設定においても同様である。
【００６７】
なお、第１から第５の実施の形態で説明した無線システムの適用例としては、例えばガス検針システム、火災警報システムなどが挙げられる。
【００６８】
ガス検針システムでは、無線親機１００には電話回線のインターフェースとなるＴＮＣＵが、無線子機２００にはガス使用量を検針するガスメータコントローラが、無線孫機３００にはガス漏れ警報機が接続される。
【００６９】
ガス漏れ警報機の警報情報は無線孫機３００から無線子機２００へ伝えられ、無線子機２００からガスメータコントローラに伝えられる。そして、ガス漏れ警報機の警報情報を受信したガスメータコントローラはガスを止め、ガスメータコントローラからガスを止めた情報が無線子機２００から無線親機１００に伝えられる。無線親機１００から情報を受けたＴＮＣＵはガス管理センター装置へ電話回線を介して情報を通報する。
【００７０】
火災警報システムでは、無線親機１００にガスメータコントローラが、無線子機２００には台所の火災警報器が、無線孫機３００には各部屋の火災警報器が接続される。火災警報機の警報情報は無線孫機３００から無線子機２００へ伝えられ、無線子機２００から無線親機１００が接続されるガスメータコントローラに伝えられる。火災警報機の警報情報を受信したガスメータコントローラはガスを止める。
【００７１】
他の火災警報システムでは、無線機と接続された火災警報器が連動して、一つの火災警報器が火事を検知すれば、他の火災警報器が連動して火災発生を報知する。
【００７２】
このように無線親機１００、無線子機２００、無線孫機３００の無線機が連動することで、各種情報が無線機と接続された各機器へ伝えられるようになっている。
【産業上の利用可能性】
【００７３】
以上のように、本発明にかかる無線装置システムは、無線親機、無線子機及び無線孫機との間で無線通信を行う際の初期設定を効率的に実現するものであり、ガス流量計測器や火災警報器や侵入者監視装置に限らず、連動を必要とした機器に無線モジュールを搭載することにより、無線連動するあらゆる機器にも適用できる。無線機と各機器との接続は、無線機を各機器に内蔵しても、各機器の外部から接続しても同等な効果を得ることができる。また、本発明は無線親機と無線子機だけの組み合わせ、あるいは無線子機と無線孫機だけのシステム構成や組みあわせの通信だけでも適用できる。
【図面の簡単な説明】
【００７４】
【図１】本発明の実施形態における無線親機、無線子機、無線孫機の無線装置システム構成図
【図２】本発明の実施形態における無線親機の構成図
【図３】本発明の実施形態における無線子機の構成図
【図４】本発明の実施形態における無線孫機の構成図
【図５】本発明の実施形態１における親子機間の初期登録無線通信シーケンス図
【図６】本発明の実施形態１における子孫機間の初期登録無線通信シーケンス図
【図７】本発明の実施形態２における親子孫間の初期登録無線通信シーケンス図
【図８】本発明の実施形態３における親子孫間の初期登録無線通信シーケンス図
【図９】本発明の実施形態４における親子間の連続初期登録無線通信シーケンス図
【図１０】本発明の実施形態５における無線装置の無線子機の構成図
【符号の説明】
【００７５】
１００  無線親機
１０１  親機識別番号格納手段
１０２  子機識別番号格納手段
１０３  無線送受信手段
１０４  親子間初期設定手段
１０５  通信条件格納手段
１０６  アンテナ
２００  無線子機
２０１  親機識別番号格納手段
２０２  子機識別番号格納手段
２０３  孫機識別番号格納手段
２０４  通信条件格納手段
２０５  無線送受信手段
２０６  親子間初期設定手段
２０７  子孫間初期設定手段
２０８  アンテナ
３００  無線孫機
３０１  親機識別番号格納手段
３０２  子機識別番号格納手段
３０３  孫機識別番号格納手段
３０４  通信条件格納手段
３０５  無線送受信手段
３０６  子孫間初期設定手段
３０７  アンテナ
【図１】
2008124603.tif 000003
【図２】
2008124603.tif 000004
【図３】
2008124603.tif 000005
【図４】
2008124603.tif 000006
【図５】
2008124603.tif 000007
【図６】
2008124603.tif 000008
【図７】
2008124603.tif 000009
【図８】
2008124603.tif 000010
【図９】
2008124603.tif 000011
【図１０】
2008124603.tif 000012